(57)【要約】【課題】  新聞、雑誌などの重ねものを紐できつく結べる紐結び具を提供すること。【解決手段】  紐結び具１は紐のからめ部をクサビ作用により圧迫するＶ字溝２を備え、Ｖ字溝２の底部は紐結び具１の底面より所定の高さｈを有している。【選択図】図１
2019059546.tif 000002
【特許請求の範囲】
【請求項１】
新聞、雑誌などを重ねた重ねものの上に置いて重ねものを紐で結ぶ紐結び具であり、前記紐結び具は紐のからめ部をクサビ作用により圧迫するＶ字溝を有し、前記Ｖ字溝の底部は紐結び具の底面より所定の高さを有する事を特徴とする紐結び具。
【発明の詳細な説明】
【技術分野】
【０００１】本発明は新聞、雑誌などを厚く重ねて紐で結ぶ紐結び具に関するものである。
【背景技術】
【０００２】日常、新聞、雑誌、段ボールなどを厚く重ねて紐で結ぶ作業は多くあるが、紐の一方の端を他方の端に１周回して引く動作を２回行なって結び目を作る必要があり、１回目と２回目との間に紐が緩んできつく紐を結ぶ事は困難である。
そこで一般には図４の様に新聞などを厚く重ねたものの角部を使って上記１回目と２回目の間の紐の緩みを防いでいるが、厚く重ねたものの角部が直線状にきちんと揃ってないと効果はなく、きつく結ぶ事はできない。
【発明の開示】
【発明が解決しようとする課題】
【０００３】本発明の目的は、新聞、雑誌などを厚く重ねたものを紐できつく結ぶ事のできる紐結び具を提供することにある。
【課題を解決する為の手段】
【０００４】本発明は上記目的を達成する為、紐結具はＶ字溝を備え、このＶ字溝の底部は紐結び具の底面より所定の高さを有する構造とした。
【発明の効果】
【０００５】本発明によれば紐の一方の端を他方の端に一周回してからめる事により得られる一回目のからめ部がＶ字溝のクサビ作用により強く圧迫され、その摩擦力により手を離しても紐が緩まない為、２回目の紐のからめの時に紐の結び目が緩むことなく作られ、きつく結ぶ事ができる。
【発明を実施する為の形態】
【０００６】図１（イ）は本発明による紐結び具を示し、紐結び具１はＶ字溝２を備え、Ｖ字溝２の底部は紐結び具１の底面より所定の高さｈを有する（ｈは５〜１０ｍｍ位）。Ｖ字溝２はこれに食い込む紐にクサビ作用を与えるものであり、紐結び具１はプラスチック製、又は望ましくは少なくともＶ字溝２の壁面がゴム、塩ビの様な高摩擦材料製とするのが良い。３は保管する為のフックで、必要不可欠なものではない。
使い方は図２（イ）の様に新聞、雑誌等を厚く重ねたもの（以下、重ねもの）の上に紐結び具を置き、前記重ねものの横軸方向に一周させた紐の一方の端を他方の端に１周回してからめ（以下、からめ部と称す）、紐をＶ字溝２に入れて強く引く。
こうすると図２（イ）をＡ方向から見た図２（ロ）の様に高さｈに起因する紐の張力によりＶ字溝２に強く押し付ける力が発生し、前記からめ部はＶ字溝２に食い込むクサビ作用により強く圧迫され、手を離しても緩まない。この場合、Ｖ字溝２の少なくとも壁面がゴム、塩ビなどの高摩擦材料で覆われていれば摩擦力が強いから、この形態が望ましいことは明らかである。そして図２（ロ）の手を離したままで図２（ハ）の様にもう１回紐の一方の端を他方の端に一周回してからめ、強く引けば紐の結び目ができ、結束終了である。同様に重ねものの縦軸方向にも紐を結んで十字形に結束する。Ｖ字溝２では処理できないロープなどの太い紐の場合は、図１（ロ）の様に幅広のＶ字溝４を使うと良い。草木などを束ねる場合は、丸いものを束ねる形になるから、座りを良くする為、紐結び具は図１（ハ）の様に座板１′を形成しておくのが良い。図３（イ）、（ロ）は各々カッターやハサミの柄の所定部に紐結び具１を備えたものであり、カッターやハサミは紐を切る時に必らず使うから、便利である。図３（ハ）、（ニ）は紐結び具１をハート形、動物、花などの形にしてアクセサリーとしてカッターやハサミに紐で結び付けたものである。
図３（ホ）はドアを固定しておくドアストッパーに紐結び具の機能を与えたもので、２はＶ字溝を示す。使い方は図２で述べた通りである。尚、図２（ハ）で重ねものを紐で十字形に結束する場合は、図２（ニ）の様に予め重ねものに紐を通しておき、これをひっくり返して図２（ホ）の様にし、この状態で両側に延びた紐を矢印の如く強く引いて紐の緩みを取り、この上に紐結び具１を置いて図２（ヘ）の如く紐をきつく結束しても良い（これは図２（イ）で述べた通りに行なう）。
【０００７】一般にドアストッパーはドアと床面（コンクリート面など）との間の透き間にクサビ状のものを押し込んでドアを固定しておくものであるが、高さの小さなものである為、腰をかがめなければならず、高齢者には辛い作業であった。
これを解消するには、図５の如くドアストッパーに取手を付け、ドアストッパーの底から取手の頂部までの高さが１０ｃｍ以上ある様にすれば良い（コンパクト性を考え余り高くはしないが）。先ず図５（イ）はドアストッパー５にコ字状の取手６（ワイヤー製）を備えたもので、取手６は軸７がトアストッパー５に形成された穴に嵌り込んで回動可能な構造であり、ストッパー８，９により垂直状態を維持するが、力を加えるとストッパー８を乗り越えて図５（ロ）の様に倒れてコンパクトになる（ストッパー８には勾配が付いており、倒す時は力はかなり必要であるが、垂直に立てる時は少しの力で良い）。ドアストッパー５の底から取手６の頂部までの高さは１０ｃｍ以上あるから（一般にはｌ＞８ｃｍ、ｈ＞２ｃｍであり、ｌ＋ｈ＞１０として１０ｃｍ以上とした）、腰のかがめは少しで済み、高齢者に優しいドアストッパーになる（図５のものは全て１０ｃｍ以上ある）。取手６はコ字状であるから、フックなどに掛けて吊して保管しておく事ができる。図５（ハ）は取手１０をドアストッパーにねじ込み式にしたものである。図５（ニ）は取手１１をドアストッパー５と一体成形したものである。図５（ホ）はドア半径端においてドア半径方向にドアストッパーを押し込むタイプに本発明を適用したもので、１２は取手である。取手としてはこの他、伸縮式（テレスコープ式）も考えられ、コンパクトになる。
【０００８】図６（イ）は図５と同様に腰の負担を軽減するドアストッパー１３を示し、最大高さの異なるクサビ状のドアストッパー（最大高さＨ１のドアストッパー１４と最大高さＨ２（Ｈ２＞Ｈ１）のドアストッパー１６）の底面１５，１７を９０°又は９０°に近い交叉角を以って各々Ｌ字形に一体構造としたものである。ドアストッパー１４は底面１５からの最大高さＨ１が例えば２５ｍｍであり、最小高さを５ｍｍとすればドアと床面との透き間が５〜２５ｍｍまでをカバーする。ドアストッパー１６は底面１７（ドアストッパー１６を使う時は底面１７を床面に置く）からの最大高さＨ２が例えば４０ｍｍであり、最小高さを２０ｍｍとすればドアと床面との透き間が２０〜４０ｍｍまでをカバーする。ドアストッパー１４の最大高さＨ１が２５ｍｍであるのにドアストッパー１６の最小高さが２５ｍｍとしないのはドアと床面との透き間が２５ｍｍ位の時、ドアストッパー１６をできる限り前記透き間に押し込んで足元の邪魔にならない様にする為である。使用方法を図６（ハ）に示すが、ドアと床面との透き間が小さい時はドアストッパー１４を使用し（底面１５を床面に置く）。大きい時はドアストッパー１６を使用する（底面１７を床面に置く）。
通常は実線の如く使うが、ドア半径端に二点鎮線示の如く押し込んで使う事もできる。ｌ１，ｌ２はいずれも１０ｃｍ以上とする事が望ましく、これによりドアストッパー１３を取り扱う時の腰の負担を軽減する事ができる。もしドアストッパー１４，１６をＬ字形でなく直線状のものにしてドアと床面との透き間が５〜４０ｍｍをカバーしようとすると長くなり過ぎて足本の邪魔なり、長くならない様に勾配を急にすればドアストッパーの固定力が減少する。本案によれば勾配を小さくしてドアストッパーの固定力を強くすると共に、短かくコンパクトにして足元の邪魔にならない様にする事ができる。図６（イ）のドアストッパー１３は底面１５と１７との交叉角が９０°のものであるが、９０°に近いもの（例えば７５°）を図６（ロ）に示す。図６（イ）においてドアストッパー１４，１６を各々高さに段差を与えて分割したものに相当するものを図６（ニ）に示す。
即ち、図６（ニ）においてドアストッパー１４ａ，１４ｂは各々ドアと床面との透き間が５〜１５ｍｍ，１５〜２５ｍｍを各々カバーし、ドアストッパー１６ａ，１６ｂは前記透き間が２０〜３０ｍｍ，３０〜４０ｍｍを各々カバーするものである。尚、図１において紐結び具１がプラスチック製の場合はＶ字溝２における紐からめ部の固定力を高める為、図１（ニ）の如くＶ字溝２の壁面に突起２′（例えば断面が三角形状の線状の突起）を形成する事が考えられる。
【図面の簡単な説明】
【図１】本発明による紐結び具の図。
【図２】本発明による紐結び具の使用法を示す図。
【図３】紐結び具をカッターやハサミに備えた実施例の図。
【図４】従来の紐結びを示す図。
【図５】取手を備えたドアストッパーの図。
【図６】ドアストッパーの図。
【符号の説明】１は紐結び具、２・４はＶ字溝、３はフック、５・１３・１４・１６・１４ａ・１４ｂ・１６ａ・１６ｂはドアストッパー、６・１０・１１・１２は取手、７は軸、８・９は突起、１５・１７は底面、１′は座板、２′は突起である。
【図１】
2019059546.tif 000003
【図２】
2019059546.tif 000004
【図３】
2019059546.tif 000005
【図４】
2019059546.tif 000006
【図５】
2019059546.tif 000007
【図６】
2019059546.tif 000008